(57)【要約】【課題】レポートテンプレートを作成する際の労力を削減しながら、ユーザの所望するイメージに沿ったレポートを作成することが可能な計測データ管理装置を提供する。【解決手段】本願発明の計測データ管理装置は、ユーザからの要求に応じて収集された計測データを管理する計測データ管理装置であって、ユーザが予め指定した所定のフォーマットを有するレポート書面イメージデータの任意の位置に、ユーザが指定した計測データを挿入するための少なくとも１つのマーカー情報を含む、少なくとも１つのテンプレート情報と、収集された計測データ情報を記憶する記憶部と、ユーザからの要求に応じて、少なくとも１つのテンプレート情報に、マーカー情報に従って、収集された計測データの少なくとも一部を挿入することにより計測データレポートを作成する計測データレポート作成部と、計測データレポートを提供する計測データレポート提供部とを備える。【選択図】  図２
2020008921.tif 000002
【特許請求の範囲】
【請求項１】
ユーザからの要求に応じて収集された計測データを管理する計測データ管理装置であって、
前記ユーザが予め指定した所定のフォーマットを有するレポート書面イメージデータの任意の位置に、前記ユーザが指定した計測データを挿入するための少なくとも１つのマーカー情報を含む、少なくとも１つのテンプレート情報と、前記収集された計測データ情報を記憶する記憶部と、
前記ユーザからの要求に応じて、前記少なくとも１つのテンプレート情報に、前記マーカー情報に従って、前記収集された計測データの少なくとも一部を挿入することにより計測データレポートを作成する計測データレポート作成部と、
前記計測データレポートを提供する計測データレポート提供部と
を備える計測データ管理装置。
【請求項２】
ユーザからの要求に応じて収集された計測データを管理する計測データ管理方法であって、
前記ユーザが予め指定した所定のフォーマットを有するレポート書面イメージデータの任意の位置に、前記ユーザが指定した計測データを挿入するための少なくとも１つのマーカー情報を含む、少なくとも１つのテンプレート情報と、前記収集された計測データ情報を記憶する記憶部を備えるコンピュータが、
前記ユーザからの要求に応じて、前記少なくとも１つのテンプレート情報に、前記マーカー情報に従って、前記収集された計測データの少なくとも一部を挿入することにより計測データレポートを作成するステップと、
前記計測データレポートを提供するステップと
を実施する計測データ管理方法。
【請求項３】
ユーザからの要求に応じて収集された計測データを管理する計測データ管理プログラムであって、
前記ユーザが予め指定した所定のフォーマットを有するレポート書面イメージデータの任意の位置に、前記ユーザが指定した計測データを挿入するための少なくとも１つのマーカー情報を含む、少なくとも１つのテンプレート情報と、前記収集された計測データ情報を記憶する記憶部を備えるコンピュータに、
前記ユーザからの要求に応じて、前記少なくとも１つのテンプレート情報に、前記マーカー情報に従って、前記収集された計測データの少なくとも一部を挿入することにより計測データレポートを作成するステップと、
前記計測データレポートを提供するステップと
を実施させる計測データ管理プログラム。
【発明の詳細な説明】
【技術分野】
【０００１】
本願発明は、遠隔に設置された計測データ収集装置において収集された計測データを管理する計測データ管理装置に関する。
【背景技術】
【０００２】
遠方にある商品倉庫の状態や製造工場の製造装置の状態をネットワーク経由で監視したり、遠方にある実験室における実験データをネットワーク経由で収集することにより、遠隔地にある装置等の状態を効率よくかつ低コストで管理することができる遠隔監視システムが提案されている。
【０００３】
遠隔監視システムでは、商品倉庫の状態や製造工場の製造装置の状態等を示す温度や電圧等の計測データをデータロガーと呼ばれる計測データ収集装置によって収集し、収集した計測データをネットワークを介して接続されたサーバに蓄積し管理するものである。ユーザは、サーバに蓄積されたデータの中から必要な計測データをダウンロードすることにより、商品倉庫の状態や製造工場の製造装置の状態等を監視することができる。
【０００４】
ここで、ユーザが計測データをダウンロードする場合において、ユーザによるデータ分析を容易にするため、計測データが表形式やグラフ形式で表示された情報が所定のフォーマットで配置されたレポートテンプレートを用いて作成された計測データレポートが用いられる方法が提案されている（例えば、特許文献１−３参照）。
【０００５】
特許文献１では、レポートテンプレートを作成する際のユーザの労力を削減する方法として、ユーザが設定した複数の図表のレイアウトを表す画面イメージに基づいて、レポートを出力する出力媒体のサイズや形状に適合するレポートテンプレートファイルを自動的に作成する方法が提案されている。
【０００６】
また、特許文献２では、測定機で得られた測定データから生成された文字や図形からなる測定結果情報をシート上にレイアウトして出力する測定結果出力システムにおいて、複数の異なる測定結果情報を１枚のシート上にレイアウトするためのレイアウトファイルを登録しておき、登録されたレイアウトファイルの中から選択されたレイアウトファイルを用いて測定結果情報をレイアウトする方法が提案されている。
【０００７】
さらに、特許文献３には、測定機器によって測定されたデータをサーバで処理する測定データ処理方法において、データの処理結果を出力するためのフォーマットを予め登録しておき、登録されたデータフォーマットの中から選択されたデータフォーマットを用いて測定機器から得られたデータを出力する方法が記載されている。
【先行技術文献】
【特許文献】
【０００８】
【特許文献１】特開２０１１−１２８８７７号公報
【特許文献２】特開２００２−２３２６８６号公報
【特許文献３】特開２００１−３３８０４２号公報
【発明の概要】
【発明が解決しようとする課題】
【０００９】
しかしながら、特許文献１の方法は、ユーザが設定した複数の図表のレイアウトを表す画面イメージに基づいてレポートテンプレートが自動的に作成されるものではあるが、作成されたレポートテンプレートのレイアウトをユーザが変更することはできない。特許文献２には、測定結果情報をレイアウトするレイアウトファイルをユーザが編集することや新たなレイアウトファイルを作成することも可能であることが記載されているが、レイアウトファイルの具体的な編集、作成方法については、開示されていない。
【００１０】
また、特許文献３には、登録されたデータフォーマットの中から選択されたデータフォーマットを編集できることや、登録されたフォーマットの中に所望のフォーマットがない場合には、最初から作成することも可能であることも記載されているが、フォーマットを編集、作成する場合には、測定機器のリスト、処理リストや出力形式のリストの選択を行う必要があり、データフォーマットを編集、作成する際の労力が大きいという問題がある。
【００１１】
本願発明は、以上のような課題を解決するためになされたものであり、レポートテンプレートを作成する際の労力を削減しながら、ユーザの所望するイメージに沿ったレポートを作成することが可能な計測データ管理装置を提供することを目的とする。
【課題を解決するための手段】
【００１２】
上記課題を解決するために、本願発明の計測データ管理装置は、ユーザからの要求に応じて収集された計測データを管理する計測データ管理装置であって、前記ユーザが予め指定した所定のフォーマットを有するレポート書面イメージデータの任意の位置に、前記ユーザが指定した計測データを挿入するための少なくとも１つのマーカー情報を含む、少なくとも１つのテンプレート情報と、前記収集された計測データ情報を記憶する記憶部と、前記ユーザからの要求に応じて、前記少なくとも１つのテンプレート情報に、前記マーカー情報に従って、前記収集された計測データの少なくとも一部を挿入することにより計測データレポートを作成する計測データレポート作成部と、前記計測データレポートを提供する計測データレポート提供部とを備える。
【００１３】
上記課題を解決するために、本願発明の計測データ管理方法は、ユーザからの要求に応じて収集された計測データを管理する計測データ管理方法であって、前記ユーザが予め指定した所定のフォーマットを有するレポート書面イメージデータの任意の位置に、前記ユーザが指定した計測データを挿入するための少なくとも１つのマーカー情報を含む、少なくとも１つのテンプレート情報と、前記収集された計測データ情報を記憶する記憶部を備えるコンピュータが、前記ユーザからの要求に応じて、前記少なくとも１つのテンプレート情報に、前記マーカー情報に従って、前記収集された計測データの少なくとも一部を挿入することにより計測データレポートを作成するステップと、前記計測データレポートを提供するステップとを実施する。
【００１４】
上記課題を解決するために、本願発明の計測データ管理プログラムは、ユーザからの要求に応じて収集された計測データを管理する計測データ管理プログラムであって、前記ユーザが予め指定した所定のフォーマットを有するレポート書面イメージデータの任意の位置に、前記ユーザが指定した計測データを挿入するための少なくとも１つのマーカー情報を含む、少なくとも１つのテンプレート情報と、前記収集された計測データ情報を記憶する記憶部を備えるコンピュータに、前記ユーザからの要求に応じて、前記少なくとも１つのテンプレート情報に、前記マーカー情報に従って、前記収集された計測データの少なくとも一部を挿入することにより計測データレポートを作成するステップと、前記計測データレポートを提供するステップとを実施させる。
【発明の効果】
【００１５】
本願発明によれば、レポートテンプレートを作成する際の労力を削減しながら、ユーザの所望するイメージに沿ったレポートを作成することが可能な計測データ管理装置を提供することが可能となる。
【図面の簡単な説明】
【００１６】
【図１】図１は、本願発明の実施の形態における計測データ管理装置が適用される遠隔監視システムの概要を示す図である。
【図２】図２は、本願発明の実施の形態における計測データ管理の概要を示す図である。
【図３】図３は、本願発明の実施の形態における計測データ管理装置の構成例を示す図である。
【図４】図４は、本願発明の実施の形態における収集端末情報、計測データ情報、テンプレート情報の一例を示す図である。
【図５】図５は、本願発明の実施の形態におけるマーカー情報を含むテンプレート情報の一例を示す図である。
【図６】図６は、本願発明の実施の形態における計測データレポートの一例を示す図である。
【図７】図７は、本願発明の実施の形態における計測データ管理方法のシーケンスの一例を示す図である。
【図８】図８は、本願発明の実施の形態における計測データ管理方法のフローチャートの一例を示す図である。
【発明を実施するための形態】
【００１７】
以下、本願発明を実施するための形態について説明する。
【００１８】
＜遠隔監視システムの概要＞
図１は、本願発明の実施の形態における計測データ管理装置が適用される遠隔監視システムの概要を示す図である。遠隔監視システム１は、電気製品等の状態や倉庫の状態等を表す計測データを収集する計測データ収集端末３０、収集された計測データを管理し、ユーザからの要求に応じて計測データレポートを提供する計測データ管理装置１０、必要に応じて計測データレポートの提供を要求し、提供された計測データレポートを表示するユーザ端末２０から構成されている。
【００１９】
計測データ収集端末３０は、遠隔に設置された電気製品や計測装置の状態や遠隔地にある倉庫、工場、実験場の状態を表す計測データを収集して計測データ管理装置１０に提供する。計測データ収集端末３０は、予め設定された計測データの収集の計測項目、計測間隔等の条件に従って、計測データを収集して計測データ管理装置１０に提供する。
【００２０】
計測データ管理装置１０は、計測データ収集端末３０から受信した計測データを保存するとともに、ユーザからの要求に応じて、テンプレート情報に基づいて作成した計測データレポートをユーザ端末２０に提供する。
【００２１】
ここで、計測データレポートを作成するためのテンプレート情報は、ユーザによって作成され計測データ管理装置１０に提供される。このテンプレート情報は、ユーザが指定した所定のフォーマットを有するレポート書面イメージデータに計測データを挿入するためのマーカー情報が含まれたものである。ユーザは、普段使用しているレポート書面を撮影することによりレポート書面イメージデータを取得し、レポート書面イメージデータの任意の位置に、指定した計測データを挿入するためのマーカー情報を配置することによりテンプレート情報を作成することができる。
【００２２】
ユーザは、普段使用しているレポート書面のイメージデータをベースとして、計測データを表示したい位置にマーカー情報を配置することにより、計測データが所望の位置に配置されたレポート書面を作成することができるので、テンプレートを作成する際の労力を削減しながら、所望のレイアウトイメージを有する計測データレポートを得ることができる。
【００２３】
＜計測データ管理装置の概要＞
図２は、本願発明の実施の形態における計測データ管理の概要を示す図である。計測データ管理装置１０は、電気製品や倉庫の状態等を表す計測データを収集する計測データ収集端末３０、提供された計測データを表示するユーザ端末２０とネットワーク４０を介して接続されている。
【００２４】
計測データ収集端末３０の収集端末情報は、ユーザ端末２０において入力され、入力された収集端末情報は、計測データ管理装置１０に送信され登録される。収集端末情報には、計測データ収集端末を設置するユーザの施設情報、設置される収集端末の属性情報、収集する計測項目等の情報を含むことができる。尚、収集端末情報を、予めユーザ端末２０に保存しておき、必要に応じて計測データ管理装置１０に送信するようにしてもよい。
【００２５】
ユーザ端末２０は、所定のフォーマットを有するレポート書面イメージデータに計測データを挿入するためのマーカー情報を含まれるテンプレート情報を有している。テンプレート情報は、使用しているレポート書面を撮影することによりレポート書面イメージデータを取得し、レポート書面イメージデータの任意の位置に、指定した計測データを挿入するためのマーカー情報を配置することにより作成することができる。
【００２６】
ユーザは、普段使用しているレポート書面のイメージデータをベースとして、計測データを表示したい位置に配置したマーカー情報により、所定の位置に計測データを配置することができるので、テンプレートを作成する際の労力を削減しながら、所望のレイアウトイメージを有する計測データレポートを作成することができる。
【００２７】
計測データ収集端末３０は、遠隔に設置された電気製品や計測装置の状態や遠隔地にある倉庫、工場、実験場の状態を表す計測データを、予め設定された計測データの収集の計測項目、計測間隔等の条件に従って、収集して計測データ管理装置１０に提供する。計測データ情報には、計測時間情報、温度、湿度、電圧等の計測項目、および計測項目毎の計測データを含むことができる。なお、温度、湿度、電圧等の計測項目は例示であり、これらの情報の一部を含んでもよいし、他の情報を含むようにしてもよい。
【００２８】
計測データ管理装置１０は、ユーザ端末２０から受信した計測データ収集端末の収集端末情報、テンプレート情報および計測データ収集端末３０から受信した計測データ情報を保存し管理する。
【００２９】
計測データ管理装置１０は、計測データ収集端末３０から受信した計測データを保存するとともに、ユーザからの要求に応じて、テンプレート情報に基づいて作成した計測データレポートを提供する。テンプレート情報は、ユーザが指定した所定のフォーマットを有するレポート書面イメージデータに計測データを挿入するためのマーカー情報が含まれたものである。計測データ管理装置１０は、マーカー情報に従って、レポート書面イメージデータの所定の位置に所定の計測データを挿入して計測データレポートを作成する。
【００３０】
例えば、ユーザが表形式の計測データとグラフ形式の計測データが所定の位置に表示されたフォーマットを有するレポート書面を使用している場合に、そのレポート書面を撮影したレポート書面イメージデータの所定の位置に配置されたマーカー情報に従って、そのマーカー情報の配置位置に表形式の計測データとグラフ形式の計測データを挿入し、計測データレポートを作成する。
【００３１】
このマーカー情報の位置や挿入する計測データの内容は、ユーザが要望する計測データレポートのレイアウトイメージに応じて適宜変更することができる。ユーザが表示したい計測データや情報の内容に応じて、予め計測データ管理装置にマーカー情報のメニューを用意しておき、ユーザが必要に応じて、マーカー情報を選択、設定することでテンプレートを作成するようにしてもよい。
【００３２】
＜計測データ管理装置の構成＞
図３は、本願発明の実施の形態における計測データ管理装置の構成例を示す図である。計測データ管理装置１０は、テンプレート情報等の情報管理、計測データレポートの作成、計測データレポートの提供等を行う中央処理部１１、ユーザ端末２０、計測データ収集端末３０とネットワーク４０を介して通信を行うためのＩ／Ｆ部１５、およびユーザ情報等を記憶するための記憶部１６を備える。
【００３３】
中央処理部１１は、テンプレート情報等の情報を管理する情報管理部１２、テンプレート情報を用いて計測データレポートの作成を行う計測データレポート作成部１３、および計測データレポートの提供を行う計測データ提供部１４として動作する。記憶部１６には、収集端末情報、計測データの情報、テンプレート情報の他、作成した計測データレポートの情報が記憶されている。
【００３４】
情報管理部１２は、ユーザ端末２０から受信した計測データ収集端末情報、テンプレート情報、および計測データ収集端末３０から受信した計測データ情報を保存し管理する。
【００３５】
計測データレポート作成部１３は、ユーザからの要求に応じて、テンプレート情報に基づいて計測データレポートを作成する。テンプレート情報には、ユーザが指定した所定のフォーマットを有するレポート書面イメージデータの所定の位置に計測データを挿入するためのマーカー情報が含まれており、計測データレポート作成部１３は、マーカー情報に従って、レポート書面イメージデータの所定の位置に所定の計測データを挿入して計測データレポートを作成する。
【００３６】
計測データ提供部１４は、計測データ管理装置１３で作成された計測データレポートをユーザ端末２０に提供する。
【００３７】
なお、計測データ管理装置１０は、記憶部、Ｉ／Ｆ部および中央処理部を備えたコンピュータによって構成してもよく、中央処理部１１における処理をプログラムによって実施するように構成してもよい。その場合には、中央処理部１１に予めそのプログラムを搭載しておいてもよく、あるいはプログラムを記憶部１６に記憶しておき、中央処理部１１にダウンロードするように構成してもよい。
【００３８】
＜ユーザ情報、収集端末情報、計測データ情報＞
図４は、本願発明の実施の形態における収集端末情報、計測データ情報、テンプレート情報の一例を示す図である。
【００３９】
計測データ収集端末の情報には、ユーザ毎に、計測データ収集端末を設置するユーザの施設情報、設置される収集端末の属性情報、収集する計測項目等の情報を含むことができる。これらの情報は、ユーザ端末から適宜設定することができる。
【００４０】
計測データ情報には、計測データ収集端末毎に、計測時間情報、温度、湿度、電圧等の計測項目、および計測項目毎の計測データを含むことができる。なお、計測項目は例示であり、これらの情報の一部を含んでもよいし、他の情報を含むようにしてもよい。
【００４１】
テンプレート情報は、ユーザ毎に、計測データ管理装置１０に登録されている。テンプレート情報には、ユーザが指定した所定のフォーマットを有するレポート書面イメージデータに計測データを挿入するためのマーカー情報が含まれている。各ユーザは、複数のテンプレートを作成し登録することができ、計測データレポートを要求する際に指定することもできる。
【００４２】
＜テンプレート情報＞
図５は、本願発明の実施の形態におけるマーカー情報を含むテンプレート情報の一例を示す図である。
【００４３】
図５の左欄は、使用しているレポート書面を撮影することにより取得したレポート書面イメージデータであり、右欄のマーカーバーは、ユーザが表示したい計測データや情報の内容に応じて、予め用意されたマーカー情報のメニューである。ユーザは、右欄のマーカーバーから選択したマーカー情報を、左欄のレポート書面イメージデータ上にドラッグ＆ドロップすることにより、レポート書面イメージデータの任意の位置に、指定した計測データを挿入するためのマーカー情報を配置することができる。
【００４４】
図５の例は、ユーザが表形式の計測データとグラフ形式の計測データを所定の位置に表示するフォーマットを有するレポート書面を使用している場合に、そのレポート書面を撮影したレポート書面イメージデータの所定の位置に、表形式の計測データとグラフ形式の計測データを表示するためのマーカーをそれぞれ配置したものである。
【００４５】
マーカーバーの内容は、ユーザが表示したい計測データや情報の内容に応じて適宜変更することができる。計測データ収集装置が設置されている施設の地図情報も表示するようにしてもよい。ユーザからの要求に応じて、レポートに表示する計測データの種別（日報、月報）や、抽出期間を設定することも可能である。
【００４６】
＜計測データレポート＞
図６は、本願発明の実施の形態における計測データのレポートの一例を示す図である。図６の計測データレポートは、図５のテンプレートに基づいて作成された計測データレポートである。
【００４７】
図６は、Ａ社のＸ事業所における所定の時間に計測された計測データを表示したものである。図６の右欄の上段には、Ａ社のＸ事業所に設置された収集端末＃１−＃５によって収集された計測データがそれらの計測時間とともに表形式で表示され、下段には、計測データが計測時間を横軸としてグラフ形式で表示されている。
【００４８】
＜計測データレポートの提供処理のシーケンス＞
図７は、本願発明の実施の形態における計測データ管理方法のシーケンスの一例を示す図である。
【００４９】
ユーザ端末は、計測データ収集端末を設置するユーザの施設情報、設置される収集端末の属性情報、収集する計測項目等の情報を含む計測データ収集端末の情報と、作成したテンプレート情報を計測データ管理装置に送信する。
【００５０】
計測データ管理装置は、ユーザ端末から受信した計測データ収集端末の情報、テンプレート情報、および計測データ収集端末から受信した計測データ情報を登録する。
【００５１】
計測データ管理装置は、ユーザからの要求に応じて、必要な計測データの収集と必要なテンプレート情報の読み込みを行い、テンプレート情報に含まれるマーカー情報に従って、計測データを収集しテンプレートに挿入することにより、計測データレポートを作成する。複数のテンプレートが登録されている場合には、ユーザは計測データ要求の際に特定のテンプレートを指定することができる。作成された計測データレポートは、ユーザ端末に提供され、ユーザ端末に表示される。
【００５２】
＜計測データレポートの提供処理のフローチャート＞
図８は、本願発明の実施の形態における計測データ管理方法のフローチャートの一例を示す図である。
【００５３】
計測データ管理装置には、ユーザ端末から受信した計測データ収集端末の情報、テンプレート情報、および計測データ収集端末から受信した計測データ情報を登録する（Ｓ１−２〜Ｓ１−６）。
【００５４】
計測データ管理装置は、ユーザからの要求に応じて、必要な計測データの収集と必要なテンプレート情報の読み込みを行い、テンプレート情報に含まれるマーカー情報に従って、収集した計測データをテンプレートに挿入することにより、計測データレポートを作成し、ユーザ端末に送信する。（Ｓ１−７〜Ｓ１−１１）。
【００５５】
以上説明したように、本実施の形態における計測データ管理装置は、ユーザが使用しているレポート書面のイメージデータをベースとして、計測データを表示したい位置に配置したマーカー情報により、所定の位置に計測データを配置することができるので、テンプレートを作成する際の労力を削減しながら、所望のレイアウトイメージを有する計測データレポートを得ることができる。
【産業上の利用可能性】
【００５６】
本願発明は、遠隔に設置された計測データ収集装置において収集された計測データを用いて遠隔地の工場や遠隔地に設置された装置を遠隔監視するシステムに利用することができる。
【符号の説明】
【００５７】
１…遠隔監視システム、１０…計測データ管理装置、１１…中央処理部、１２…情報管理部、１３…計測データレポート作成部、１４…計測データレポート提供部、１５…Ｉ／Ｆ部、１６…記憶部、２０…ユーザ端末、３０…計測データ収集端末、４０…ネットワーク。
【図１】
2020008921.tif 000003
【図２】
2020008921.tif 000004
【図３】
2020008921.tif 000005
【図４】
2020008921.tif 000006
【図５】
2020008921.tif 000007
【図６】
2020008921.tif 000008
【図７】
2020008921.tif 000009
【図８】
2020008921.tif 000010